(57)【要約】【課題】本発明は、通気性に優れた放射線遮蔽衣料を提供することを目的とする。【解決手段】本発明の放射線遮蔽衣料は、合成繊維２により構成される放射線遮蔽衣料１であって、合成繊維２が、高分子材料２１と、高分子材料２１に分散して混入されるタングステン含有粉２２とを含むことを特徴とする。【選択図】図１
2020148556.tif 000002
【特許請求の範囲】
【請求項１】
合成繊維により構成される放射線遮蔽衣料であって、
前記合成繊維が、高分子材料と、高分子材料に分散して混入されるタングステン含有粉とを含む、
放射線遮蔽衣料。
【請求項２】
前記合成繊維中の前記タングステン含有粉の含有量が１〜６０質量％であることを特徴とする請求項１記載の放射線遮蔽衣料。
【請求項３】
前記タングステン含有粉の粒径が、０．４〜１０μｍであることを特徴とする請求項１または２記載の放射線遮蔽衣料。
【請求項４】
前記タングステン含有粉の粒径分布の広がりを示す指標である［（ｄ９０−ｄ１０）／ｄ５０］が、２．０以下であることを特徴とする請求項１〜３のいずれか１項に記載の放射線遮蔽衣料。
【発明の詳細な説明】
【技術分野】
【０００１】
本発明は、放射線遮蔽衣料に関する。
【背景技術】
【０００２】
たとえば、食品の製造や加工などを行なう食品工場において、異物が食品に混入することは、衛生上の問題から、回避すべき重要な課題である。したがって、食品工場においては、食品への異物混入対策として、金属探知機やＸ線検査装置を用いた検査が行なわれている。
【０００３】
金属探知機を使用する環境では特に問題とはならないが、Ｘ線検査装置を使用する環境では、Ｘ線の漏洩に対する対策が必要となる。Ｘ線が漏洩した場合に、労働者がＸ線に被曝するようなことがあると、重大な健康被害を引き起こす可能性がある。したがって、たとえＸ線が漏洩したとしても労働者がＸ線に被曝することを少しでも軽減できるような放射線遮蔽衣料が必要である。そのような放射線遮蔽衣料としては、たとえば特許文献１に開示されるような鉛シートを用いた放射線遮蔽衣料を使用することができる。
【先行技術文献】
【特許文献】
【０００４】
【特許文献１】特開昭６２−１１２００号公報
【発明の概要】
【発明が解決しようとする課題】
【０００５】
ところが、特許文献１に開示されるような放射線遮蔽衣料は、鉛を含んでいるために人体に有害であり、また、シート状に形成されているために通気性が劣る。このような放射線遮蔽衣料は、たとえば、レントゲン撮影などの医療現場において一時的に使用する場合には大きな問題とはならないが、食品工場はもちろんのこと、一般的な作業環境において、労働者が作業するために使用するのに適していない。
【０００６】
本発明は、上述した問題に鑑みなされたもので、通気性に優れた放射線遮蔽衣料を提供することを目的とする。
【課題を解決するための手段】
【０００７】
本発明の放射線遮蔽衣料は、合成繊維により構成される放射線遮蔽衣料であって、前記合成繊維が、高分子材料と、高分子材料に分散して混入されるタングステン含有粉とを含むことを特徴とする。
【０００８】
前記合成繊維中の前記タングステン含有粉の含有量が１〜６０質量％であることが好ましい。
【０００９】
前記タングステン含有粉の粒径が、０．４〜１０μｍであることが好ましい。
【００１０】
前記タングステン含有粉の粒径分布の広がりを示す指標である［（ｄ９０−ｄ１０）／ｄ５０］が、２．０以下であることが好ましい。
【発明の効果】
【００１１】
本発明によれば、通気性に優れた放射線遮蔽衣料を提供することができる。
【図面の簡単な説明】
【００１２】
【図１】本発明の一実施形態に係る放射線遮蔽衣料を示す模式図と、その部分拡大図である。
【発明を実施するための形態】
【００１３】
以下、添付図面を参照して、本発明の一実施形態に係る放射線遮蔽衣料を説明する。ただし、以下に示す実施形態は一例であり、本発明の放射線遮蔽衣料は以下の例に限定されることはない。
【００１４】
本実施形態の放射線遮蔽衣料は、図１に示されるように、合成繊維２により構成される放射線遮蔽衣料１である。放射線遮蔽衣料１は、人体に着用されて、人体に照射される放射線（特にＸ線）の少なくとも一部を遮蔽するために用いられる。放射線遮蔽衣料１は、合成繊維２により構成されることで、シート状に形成されるよりも、通気性が優れている。したがって、使用者は、皮膚が蒸れるのが抑制されるので、放射線遮蔽衣料１を快適に着用することができる。
【００１５】
放射線遮蔽衣料１としては、人体に着用可能な衣料であれば、特に限定されることはなく、肌着、下着、Ｔシャツ、ワイシャツ、ニットシャツ、ブラウス、セーター、カーディガン、ナイトウエア、コート、ジャケット、ズボン、スカート、靴下、タイツ、ストッキング、帽子、スカーフ、マフラー、襟巻き、ストール、手袋、作業着、ユニフォームなどが例示される。
【００１６】
放射線遮蔽衣料１は、合成繊維２により構成される布地により形成されていれば、その布地の種類は特に限定されることはない。放射線遮蔽衣料１は、たとえば、織物、編物、不織布などにより形成することができる。織物としては、たとえば、平織、斜文織、朱子織、変化平織、変化斜文織、変化朱子織、変わり織、紋織、片重ね織、二重組織、多重組織、経パイル織、緯パイル織、絡み織などが例示される。編物としては、たとえば、丸編、緯編、経編（トリコット編、ラッセル編を含む）、パイル編、平編、天竺編、リブ編、スムース編（両面編）、ゴム編、パール編、デンビー組織、コード組織、アトラス組織、鎖組織、挿入組織などが例示される。
【００１７】
放射線遮蔽衣料１を構成する合成繊維２は、図１に示されるように、高分子材料２１と、高分子材料２１に分散して混入されるタングステン含有粉２２とを含んでいる。放射線遮蔽衣料１を構成する合成繊維２は、放射線（特にＸ線）に対する遮蔽力の高いタングステンを含むタングステン含有粉２２を含むことにより、人体に及ぼす放射線の影響を軽減することができる。また、放射線遮蔽衣料１は、タングステン含有粉２２を高分子材料２１中に分散して混入させて形成される合成繊維２を用いて構成されることで、柔軟性が優れている。
【００１８】
合成繊維２に含まれる高分子材料２１としては、特に限定されることはなく、用途に応じて、たとえば、ポリエステル系、ポリアミド系、アクリル系、ポリプロピレン系、ポリウレタン系などの樹脂を用いることができる。
【００１９】
合成繊維２に含まれるタングステン含有粉２２は、タングステンを含む粉（粒子）であり、たとえば、金属タングステン粉、酸化タングステン（ＷＯ3など）粉、炭化タングステン粉、窒化タングステン粉、またはそれらの混合粉などであり、その中でも、金属タングステン粉または酸化タングステン粉が好適に用いられる。タングステン含有粉２２は、高分子材料２１に分散して含ませることができればよく、その大きさ、形状、含有量などは特に限定されることはない。
【００２０】
タングステン含有粉２２の粒径は、特に限定されることはなく、たとえば０．１〜５０μｍとすることができるが、高分子材料２１内でのタングステン含有粉２２の分散性や、高分子材料２１およびタングステン含有粉２２を含む合成繊維２の破断強度の観点から、０．４〜１０μｍが好ましく、０．６〜４μｍがさらに好ましく、１〜３μｍがよりさらに好ましい。
【００２１】
タングステン含有粉２２の粒径分布は、特に限定されることはないが、高分子材料２１内でのタングステン含有粉２２の分散性を高めるために、レーザー回折法による粒径分布測定によって求められる粒径分布の広がりを示す指標である［（ｄ９０−ｄ１０）／ｄ５０］が、２．０以下であることが好ましい。タングステン含有粉２２の粒径分布を上記範囲とすることにより、高分子材料２１中でのタングステン含有粉２２の分散性を高めることができ、高分子材料２１およびタングステン含有粉２２を含む合成繊維２の加工性を向上させることができる。そのような観点から、タングステン含有粉２２の［（ｄ９０−ｄ１０）／ｄ５０］が、１．６以下であることがさらに好ましく、１．２以下であることがよりさらに好ましい。
【００２２】
タングステン含有粉２２の形状は、特に限定されることはないが、高分子材料２１内でのタングステン含有粉２２の凝集を抑えて、高分子材料２１内でのタングステン含有粉２２の分散性を高めるために、略球形であることが好ましい。タングステン含有粉２２の形状を略球形とすることで、合成繊維２の成形時に、高分子材料２１中でタングステン含有粉２２同士が接触しても互いに接着することが抑制され、たとえ接着しても分離しやすいので、タングステン含有粉２２の凝集が抑制され、タングステン含有粉２２が凝集することによる合成繊維２の破断を抑制できる。
【００２３】
合成繊維２に含まれるタングステン含有粉２２の含有量は、特に限定されることはなく、遮蔽しようとする放射線の種類や強度に応じて適宜設定が可能である。たとえば、合成繊維２に含まれるタングステン含有粉２２の含有量は、１質量％以上であることが好ましく、３質量％以上であることがさらに好ましく、５質量％以上であることがよりさらに好ましい。また、たとえば、合成繊維２の破断強度を高く保つという観点から、合成繊維２に含まれるタングステン含有粉２２の含有量は、６０質量％以下であることが好ましく、４０質量％以下であることがさらに好ましく、２５質量％以下であることがよりさらに好ましい。
【００２４】
合成繊維２は、特に限定されることはなく、高分子材料２１とタングステン含有粉２２とを混合したものを溶融紡糸、乾式紡糸、湿式紡糸、ゲル紡糸、液晶紡糸などの公知の方法で繊維状にすることにより作製することが可能である。
【符号の説明】
【００２５】
１  放射線遮蔽衣料
２  合成繊維
２１  高分子材料
２２  タングステン含有粉
【図１】
2020148556.tif 000003